(57)【要約】【課題】作業足場板の高さを自由に調整することができ、単一の構造で広範な作業条件に適応することが可能となり、高所作業の安全性向上に寄与することができる移動式の簡易足場を提供する。【解決手段】所定の間隔で対向状に配置した二台のスライド式２連梯子１を、支持部材２で傾斜状に支持して結合部材３で結合し、両スライド式２連梯子１間に足場板４を架設すると共に、スライド式２連梯子１の下端部にこのスライド式２連梯子１の幅方向に沿って接地状態で固定する梯子安定金物５と、スライド式２連梯子１の上端部にこのスライド式２連梯子１の幅方向の外側に突出するよう取付けられた壁当て金物６が設けてある。【選択図】図１
2006207283.tif 000002
【特許請求の範囲】
【請求項１】
二台のスライド式２連梯子と、所定の間隔で対向状に配置した二台のスライド式２連梯子を、上部が互に相手側に向けて傾斜する起立状態に保持するための支持部材と、起立状態にある二台のスライド式２連梯子を、スライド式２連梯子の伸縮を許容する状態で互に結合する結合部材と、両スライド式２連梯子間に架設する足場板と、前記スライド式２連梯子の下端部にこのスライド式２連梯子の幅方向に沿って接地状態で固定する梯子安定金物と、スライド式２連梯子の上端部にこのスライド式２連梯子の幅方向の外側に突出するよう取付けられた壁当て金物とで形成されている簡易足場。
【発明の詳細な説明】
【技術分野】
【０００１】
この発明は、内装工事等に使用する簡易足場、更に詳しくは、二台のスライド式２連梯子を用い、作業の条件や進行に合わせて足場板の高さ位置を自由に調整することができる簡易足場に関する。
【背景技術】
【０００２】
例えば、建物の内装工事等において、手の届かないような高所位置の作業を行う場合、作業者が載るための足場を用いることになるが、鋼管をパイプジョイントで結合して組み立てる仮設足場では、組み立てと解体に手間と時間がかかり、このような大掛かりな足場では建物内での使用に不向きであるため、建物内への搬入、搬出が容易で簡単に移動できる簡易足場の使用が必要になる。
【０００３】
従来、建物の内装工事等における簡易足場としては、一対の梯子脚の上端を足場板に結合し、梯子脚の折畳みと開脚が自在となるようにした脚立が一般的に用いられている。
【発明の開示】
【発明が解決しようとする課題】
【０００４】
ところで、建物の内装工事等においては、作業の進行と共に作業の高さ位置が変化するが、脚立のような足場では高さ寸法の調整ができないため、高さの異なる脚立を複数種類用意しなければならないと共に、高さの適合しない脚立で無理な作業を行うと、極めて危険である。
【０００５】
そこで、この発明の課題は、上記した問題点を解決するため、作業足場板の高さを自由に調整することができ、単一の構造で広範な作業条件に適応することが可能となり、高所作業の安全性向上に寄与することができる簡易足場を提供することにある。
【課題を解決するための手段】
【０００６】
上記の課題を解決するため、この発明は、二台のスライド式２連梯子と、所定の間隔で対向状に配置した二台のスライド式２連梯子を、上部が互に相手側に向けて傾斜する起立状態に保持するための支持部材と、起立状態にある二台のスライド式２連梯子を、スライド式２連梯子の伸縮を許容する状態で互に結合する結合部材と、両スライド式２連梯子間に架設する足場板と、前記スライド式２連梯子の下端部にこのスライド式２連梯子の幅方向に沿って接地状態で固定する梯子安定金物と、スライド式２連梯子の上端部にこのスライド式２連梯子の幅方向の外側に突出するよう取付けられた壁当て金物とで形成されている構成を採用したものである。
【０００７】
ここで、スライド式２連梯子は、両側縦棧間に一定間隔で踏棧を設けた不動梯子と可動梯子を上下にスライド可能となるよう組み合わせ、可動梯子を踏棧の間隔で係止することにより、上下の高さ寸法を変化させることができる。
【０００８】
上記支持部材は、長い角材を用い、上端を不動梯子の縦棧における上部の位置に枢止し、スライド式２連梯子と逆傾斜で下端を接地させることにより、スライド式２連梯子を傾斜する起立状態に保持するようになっている。
【０００９】
また、上記結合部材は、対向状に配置した二台のスライド式２連梯子の両側面において、両可動梯子の下端部を結合する下部水平結合杆と、両可動梯子の上端部と下端部を対角線状に結合する斜材と、両可動梯子の上端部を結合する上部水平結合杆とによって形成され、両可動梯子を結合したままでスライド式２連梯子の高さ調整が可能になる。
【００１０】
上記梯子安定金物は、横長の外筒と、この外筒内にスライド可能に収まる内筒で伸縮自在となり、スライド式２連梯子の不動梯子の両側縦棧における下端部の位置にボルトとナットを用いて水平に固定され、外筒の一方端部と内筒の他方端部に接地ボルトを取付けて形成され、スライド式２連梯子の下部における幅方向の振れ止めを行うようになっている。
【００１１】
上記壁当て金物は、スライド式２連梯子の可動梯子における縦棧の上端に、スライド式２連梯子の幅方向の外側に向けて突出するよう固定した水平アームと、この水平アームの先端に設けた壁当て具とで形成され、壁当て具を両面接着シートで建物の壁面に固定することにより、スライド式２連梯子の上部における幅方向の振れ止めを行うようになっている。
【発明の効果】
【００１２】
この発明によると、二台のスライド式２連梯子を、支持部材と結合部材を用いて上部が互に相手側に向けて傾斜する起立状態に保持し、両スライド式２連梯子間に足場板を架設するようにしたので、二台のスライド式２連梯子を伸縮させることで、足場板の高さを自由に変化させることができ、高さの変化によって単一の構造で広範な作業条件に適応することが可能となり、作業条件に応じた高さに設定することで、高所作業の安全性向上に寄与することができる
【００１３】
また、スライド式２連梯子の下端部にこのスライド式２連梯子の幅方向に沿って接地状態で固定する梯子安定金物と、スライド式２連梯子の上端部にこのスライド式２連梯子の幅方向の外側に突出する壁当て金物を設けたので、スライド式２連梯子の下部と上部における幅方向の振れ止めを行うことができ、これによって、足場はスライド式２連梯子の面方向と幅方向の何れにおいても安定し、高所作業の安全性を一段と向上させることができる。
【発明を実施するための最良の形態】
【００１４】
以下、この発明の実施の形態を図示例に基づいて説明する。
【００１５】
図示のように、移動可能な簡易足場Ａは、二台のスライド式２連梯子１を用い、所定の間隔で対向状に配置した二台のスライド式２連梯子１を、上部が互に相手側に向けて傾斜する起立状態に保持するための支持部材２と、起立状態にある二台のスライド式２連梯子１を、スライド式２連梯子１の伸縮を許容する状態で互に結合する結合部材３で組み立て、両スライド式２連梯子２間の上部に足場板４を架設すると共に、前記スライド式２連梯子１の下端部にこのスライド式２連梯子１の幅方向に沿って接地状態で固定する梯子安定金物５と、スライド式２連梯子１の上端部にこのスライド式２連梯子１の幅方向の外側に突出するよう固定した壁当て金物６を設けて形成されている
【００１６】
上記スライド式２連梯子１は、周知のように、下端に接地部材７を角度可変に取付けた両側縦棧８間に一定間隔で踏棧９を設けた不動梯子１０と、同じく両側縦棧１１間に一定間隔で踏棧１２を設けた可動梯子１３を上下にスライド可能となるよう組み合わせ、可動梯子１３の下部に、この可動梯子１３の上下動によって、不動梯子１０の踏棧９に対して下降方向への係合と解除が行える係止金具１４を取り付け、図示省略したが、不動梯子１０と可動梯子１３に設けた滑車に巻回したワイヤーを引っ張り操作して可動梯子１３を上下動させ、可動梯子１３を不動梯子１０の踏棧９の間隔で係止することにより、上下の高さ寸法を変化させることができる構造になっている。
【００１７】
上記支持部材２は、長い角材を用い、上端を不動梯子１０の両側縦棧８における外面の上部の位置にボルト１５を用いて枢止し、スライド式２連梯子１と逆傾斜で下端を接地させることにより、スライド式２連梯子１を、例えば７５°の傾斜角度で起立状態に保持するようになっている。
【００１８】
また、上記結合部材３は、対向状に配置した二台のスライド式２連梯子１の両側面において、両可動梯子１３の下端部をボルト１６で結合する鋼管製の下部水平結合杆３ａと、両可動梯子１３の上端部と下端部をボルト１６と１７で対角線状に結合する鋼管製の斜材３ｂと、両可動梯子１３の上端部をボルト１７で結合する鋼管製の上部水平結合杆３ｃとによって形成され、下部水平結合杆３ａの端部と斜材３ｂの下端は共通のボルト１６で、また、上部水平結合杆３ｃの端部と斜材３ｂの上端は共通のボルト１７で、それぞれ可動梯子１３の縦棧１１に取付けられ、このような結合部材３は、両可動梯子１３を結合したままでスライド式２連梯子１の高さ調整が可能になる。
【００１９】
上記梯子安定金物５は、図５と図６に示すように、スライド式２連梯子１の幅よりも十分に長い横長の外筒１８と、この外筒１８内にスライド可能に収まる内筒１９で伸縮自在となり、スライド式２連梯子１の不動梯子１０の両側縦棧８における下端部の位置にボルト２０とナット２１を用いて水平に固定され、外筒１８の一方端部と内筒１９の他方端部に接地ボルト２２を上下に位置調整可能に取付けて形成され、かつ、内筒１９の他方端面が建物の壁面Ｂに対する当接面になり、スライド式２連梯子１の下部における安定化と幅方向の振れ止めを行うようになっている。
【００２０】
上記外筒１８と内筒１９には、長さ方向に所定の間隔でボルト２０の挿通用の多数の取付け孔２３が設けてあり、不動梯子１０に対する外筒１８の取り付け位置及び内筒１９の突出長さを自由に設定することができるようになっている。
【００２１】
上記壁当て金物６は、図７のように、スライド式２連梯子１の可動梯子１３における縦棧１１の上端に、スライド式２連梯子１の幅方向の外側に向けて突出するよう、ブラケット２４で補強して固定した水平アーム２５と、この水平アーム２５の先端に垂直の配置で設けた壁当て具２６とで形成され、壁当て具２６の外面を両面接着シート２７で建物の壁面Ｂに固定することにより、スライド式２連梯子１の上部における幅方向の振れ止めを行うようになっている。
【００２２】
上記足場板４は、所定の間隔で対向状に配置した二台のスライド式２連梯子１において、両可動梯子１３の最上部踏棧１２間に掛け渡すことができる長さと、可動梯子１３の縦棧１１間に納まる幅を有し、下面の両端部には、可動梯子１３の最上部踏棧１２の外側に引っかける係止金具が固定されている。
【００２３】
この発明の簡易足場は上記のような構成であり、二台のスライド式２連梯子１と、支持部材２、結合部材３、足場板４、足場板梯子安定金物５、壁当て金物６は、分解した状態で搬送や格納される。
【００２４】
作業現場において簡易足場Ａを組み立てるには、図２（ａ）のように、二台のスライド式２連梯子１を収縮状態にして不動梯子１０の両側縦棧８に支持部材２の上端をボルト１５で取付け、両可動梯子１３の上端部に斜材３ｂの上端をボルト１７に取付け、一方可動梯子１３の上端ボルト１７に上部に水平結合杆３ｃの一端を取付け、この状態で二台のスライド式２連梯子１を所定の間隔で対向状に起立配置する。
【００２５】
二台のスライド式２連梯子１は、支持部材２の下端を床面に接地させることにより、所定の傾斜角度で起立することになり、次に、図２（ｂ）のように、両斜材３ｂの下端を対角位置にある可動梯子１３の下端ボルト１６に取付け、両可動梯子１３間の下部を下部水平結合杆３ａで、また、上部を上部水平結合杆３ｃでそれぞれ結合し、両可動梯子１３の最上部踏棧１２間に足場板４を掛け渡すことにより、簡易足場Ａが組みあがることになる。
【００２６】
上記簡易足場Ａは、建物の壁面Ｂに対して二台のスライド式２連梯子１の対面方向が平行するよう配置し、不動梯子１０の下端部に梯子安定金物５を取付け、内筒１９の他方端面を建物の壁面Ｂに対して当接させ、両端の接地ボルト２２を接地させれば、スライド式２連梯子１の下部における幅方向の振れ止めを行うことができる。
また、可動梯子１３の上端に取付けた壁当て金具６の壁当て具２６を両面接着シート２７で建物の壁面Ｂに固定する。
【００２７】
このような簡易足場Ａにおいては、スライド式２連梯子１を登ることによって足場板４上に載り、この足場板４上で作業を行えばよく、簡易足場Ａは、スライド式２連梯子１の対面方向は、支持部材２による支持と結合部材３による結合によって強度が保たれ、幅方向は、壁当て金具６と梯子安定金物５による触れ止めにより、安定性の優れたものとなり、作業時の安全性を確保することができる。
【００２８】
次に、簡易足場Ａの高さを高くする場合は、上記壁当て金具６を建物の壁面Ｂから外した状態で、図３（ａ）のように、一方スライド式２連梯子１の下端接地点を支点にして簡易足場Ａ全体をスライド式２連梯子１の対面方向に傾け、浮き上がった他方スライド式２連梯子１を伸長操作し、不動梯子１０の下端が接地する状態で他方スライド式２連梯子１の長さを係止させる。このとき、支持部材２の下端が床面から浮き上がり状態となる。
【００２９】
上記の状態で、今度は伸長した他方スライド式２連梯子１の下端接地点を支点にして簡易足場Ａ全体をスライド式２連梯子１の対面方向に傾け、浮き上がった一方スライド式２連梯子１を伸長操作し、足場板４が水平になるように不動梯子１０の下端を接地させた状態でこの一方スライド式２連梯子１の長さを係止させれば、支持部材２の下端が床面に接地し、これによって、簡易足場Ａの足場板４の高さを踏棧９の間隔ピッチで段階的に高くすることができる。
【００３０】
図４に示すように、簡易足場Ａの足場板４の高さを最も高くするには、上記したように、簡易足場Ａ全体を交互に傾けると共に、両スライド式２連梯子１の伸長を数回交互に繰り返すことによって行うことができ、このように、簡易足場Ａは足場板４の高さを踏棧９の間隔ピッチで段階的に高くすることが可能となり、作業内容に適応した最適の高さを確保することができる。
【００３１】
なお、使用済み後の簡易足場Ａは、両スライド式２連梯子１を収縮させ、二台のスライド式２連梯子１と、支持部材２、結合部材３、足場板４、梯子安定金物５、壁当て金物６を分解した状態で搬出すればよい。
【図面の簡単な説明】
【００３２】
【図１】（ａ）は簡易足場の組み立て状態を示す正面図、（ｂ）は同側面図
【図２】（ａ）は簡易足場の組み立て途中の状態を示す正面図、（ｂ）は同組み立て状態を示す正面図
【図３】（ａ）は簡易足場の高さを高くする途中の状態を示す正面図、（ｂ）は同高くした組み立て状態を示す正面図
【図４】（ａ）は簡易足場を最も高くした状態を示す正面図、（ｂ）は同側面図
【図５】簡易足場に取付けた梯子安定金物を拡大した縦断正面図
【図６】簡易足場に取付けた梯子安定金物を拡大した縦断側面図
【図７】（ａ）は簡易足場に取付けた壁当て金物を拡大した縦断正面図、（ｂ）は同横断平面図
【符号の説明】
【００３３】
１        スライド式２連梯子
２        支持部材
３        結合部材
４        足場板
５        梯子安定金物
６        壁当て金物
７        接地部材
８        縦棧
９        踏棧
１０      不動梯子
１１      縦棧
１２      踏棧
１３      可動梯子
１４      係止金具
１５      ボルト
１６      ボルト
１７      ボルト
１８      外筒
１９      内筒
２０      ボルト
２１      ナット
２２      接地ボルト
２３      取付け孔
２４      ブラケット
２５      水平アーム
２６      壁当て具
２７      両面接着シート
【図１】
2006207283.tif 000003
【図２】
2006207283.tif 000004
【図３】
2006207283.tif 000005
【図４】
2006207283.tif 000006
【図５】
2006207283.tif 000007
【図６】
2006207283.tif 000008
【図７】
2006207283.tif 000009